(57)【要約】【課題】浴室などの高温多湿の室内で画像を投影する場合において、良好な画像を投影する。【解決手段】画像投影システム１０は、室内空間を画定する天井材１０２の裏側に配置され、且つ、天井材１０２に設けられた開口１０２ａを介して室内に投影光を出射する出射部１２ａ、外部の空気を内部に取り込むための吸気口１２ｋ、および内部の空気を外部に排出するための排気口１２ｍを備えるプロジェクタ１２と、天井材１０２または壁材の開口１０２ａを塞ぎ、プロジェクタ１２の投影光が透過するカバー部材１６と、プロジェクタ１２の出射部１２ａとカバー部材１６とを覆い、且つ、プロジェクタ１２の出射部１２ａから開口１０２ａに向かう投影光が通過する内部空間１８ａを形成するケース部材１８と、プロジェクタ１２の排気口１２ｍとケース部材１８の内部とを連絡して、プロジェクタ１２からの排気をケース部材１８の内部ａに供給するダクト部材３０とを有する。【選択図】図５
2018066945.tif 000002
【特許請求の範囲】
【請求項１】
室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、
プロジェクタの排気口とケース部材の内部空間とを連絡して、プロジェクタからの排気をケース部材の内部空間に供給するダクト部材と、を有する、画像投影システム。
【請求項２】
プロジェクタが、ダクト部材の内部空間と連絡する排気口に対向するように内部に設けられ、プロジェクタ内の空気を外部に送風する内部ファンを備える、請求項１に記載の画像投影システム。
【請求項３】
ダクト部材の入口にフィルタが設けられている、請求項１または２に記載の画像投影システム。
【請求項４】
ケース部材が、その内部空間と外部とを連絡し、ダクト部材を介して供給されたプロジェクタの排気を外部に排出するための出口を備え、
ケース部材の出口にフィルタが設けられている、請求項１から３のいずれか一項に記載の画像投影システム。
【請求項５】
ダクト部材の入口の縁部とプロジェクタの排気口の縁部との間にシール部材が配置されている、請求項１から４のいずれか一項に記載の画像投影システム。
【請求項６】
出射部が外部に露出した状態でプロジェクタを収容して天井材または壁材の裏側に取り付けられるプロジェクタ取り付け部材を有し、
プロジェクタ取り付け部材が、その内部空間と外部とを連絡し、その内部空間に収容されたプロジェクタの吸気口に対向する部分に空気取り込み口を備える、請求項１から５のいずれか一項に記載の画像投影システム。
【請求項７】
プロジェクタ取り付け部材が、その内部空間と外部とを連絡する空気吹き出し口を備え、
空気吹き出し口に対向するようにプロジェクタ取り付け部材に設けられ、プロジェクタ取り付け部材内の空気を外部に送風する外部ファンを有する、請求項６に記載の画像投影システム。
【請求項８】
プロジェクタの温度を検出する温度センサと、
温度センサの温度検出結果に基づいて外部ファンを制御する制御装置と、を有し、
制御装置が、温度センサが所定の温度を超える温度を検出している間、外部ファンを駆動し続ける、請求項７に記載の画像投影システム。
【請求項９】
画像投影システムを備える浴室であって、
画像投影システムが、
室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、
プロジェクタの排気口とケース部材の内部空間とを連絡して、プロジェクタからの排気をケース部材の内部空間に供給するダクト部材とを有する、浴室。
【発明の詳細な説明】
【技術分野】
【０００１】
本発明は、画像を投影する画像投影システムおよび浴室に関する。
【背景技術】
【０００２】
従来より、例えば特許文献１に記載するように、高温多湿の浴室の壁面に画像を投影する画像投影装置が知られている。この画像投影装置は、浴室の壁に組み込まれた透明防水カバーを介して、浴室外から浴室内の壁面に画像を投影する。また、透明防水カバーの浴室内側表面に付着した結露（水）を除去するまたは結露の発生を抑制するために、画像投影装置からの排気をダクトを介して透明防水カバーの浴室内側表面または浴室外側表面に噴出するように構成されている。
【先行技術文献】
【特許文献】
【０００３】
【特許文献１】特開２００２−２７１７１６号公報
【発明の概要】
【発明が解決しようとする課題】
【０００４】
上述の特許文献１の場合、画像投影装置からの排気を透明防水カバーに噴出しても、その排気量（熱量）が足らず、透明防水カバーに発生した結露を十分に除去できないまたはその発生を十分に抑制できない可能性がある。
【０００５】
また、画像投影装置が浴室を画定する天井材や壁材の裏側に配置されている場合、透明防水カバーの浴室外側表面にほこりや虫などが付着する可能性がある。
【０００６】
これらの結果、浴室外から浴室内に良好な画像を投影することができない可能性がある。
【０００７】
そこで、本発明は、浴室などの高温多湿の室内に画像をその室外から投影する場合において、良好な画像を投影することを課題とする。
【課題を解決するための手段】
【０００８】
上記技術的課題を解決するために、本発明の一態様によれば、
室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、
プロジェクタの排気口とケース部材の内部空間とを連絡して、プロジェクタからの排気をケース部材の内部空間に供給するダクト部材と、を有する、画像投影システムが提供される。
【０００９】
また、本発明の別の態様によれば、
画像投影システムを備える浴室であって、
画像投影システムが、
室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、
プロジェクタの排気口とケース部材の内部空間とを連絡して、プロジェクタからの排気をケース部材の内部空間に供給するダクト部材とを有する、浴室が提供される。
【発明の効果】
【００１０】
本発明によれば、浴室などの高温多湿の室内に画像をその室外から投影する場合において、良好な画像を投影することができる。
【図面の簡単な説明】
【００１１】
【図１】本発明の一実施の形態に係る浴室を概略的に示す図
【図２】本発明の一実施の形態に係る画像投影システムの概略的斜視図
【図３】異なる方向から見た、画像投影システムの概略的斜視図
【図４】図２のＡ−Ａ線に沿った画像投影システムの断面図
【図５】画像投影システムの内部構成を示す上方視断面図
【図６】画像投影システムに含まれるプロジェクタの概略的斜視図
【図７】異なる方向から見た、プロジェクタの概略的斜視図
【図８】プロジェクタとプロジェクタ取り付け部材とを接続する接続部を示す部分断面図
【図９】プロジェクタとプロジェクタ取り付け部材とを接続する別の接続部を示す部分断面図
【発明を実施するための形態】
【００１２】
本発明の一態様である画像投影システムは、室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材と、プロジェクタの排気口とケース部材の内部空間とを連絡して、プロジェクタからの排気をケース部材の内部空間に供給するダクト部材と、を有する。
【００１３】
このような構成によれば、浴室などの高温多湿の室内に画像をその室外から投影する場合において、良好な画像を投影することができる。
【００１４】
プロジェクタが、ダクト部材の内部空間と連絡する排気口に対向する内部ファンを備えてもよい。これにより、ダクト部材を介してケース部材の内部空間により多くのプロジェクタの排気が供給される。その結果、カバー部材の結露の発生をより抑制することができる。
【００１５】
ダクト部材の入口にフィルタが設けられてもよい。これにより、ダクト部材を介して、ケース部材の内部空間へのほこりなどの侵入が抑制される。
【００１６】
ケース部材が、その内部空間と外部とを連絡し、ダクト部材を介して供給されたプロジェクタの排気を外部に排出するための出口を備え、そのケース部材の出口にフィルタが設けられてもよい。これにより、ケース部材の出口を介して、ケース部材の内部空間へのほこりなどの侵入が抑制される。
【００１７】
ダクト部材の入口の縁部とプロジェクタの排気口の縁部との間にシール部材が配置されてもよい。これにより、ダクト部材を介して、より多くのプロジェクタの排気がケース部材の内部空間に供給される。
【００１８】
画像投影システムが、出射部が外部に露出した状態でプロジェクタを収容して天井材または壁材の裏側に取り付けられるプロジェクタ取り付け部材を有しもよい。この場合、プロジェクタ取り付け部材が、その内部空間と外部とを連絡し、その内部空間に収容されたプロジェクタの吸気口に対向する部分に空気取り込み口を備えてもよい。これにより、プロジェクタ１２はほこりなどから保護されるとともに、プロジェクタ取り付け部材の空気取り込み口とプロジェクタの吸気口とを介して、外部の空気をプロジェクタの内部に取り込むことができる。
【００１９】
プロジェクタ取り付け部材が、その内部空間と外部とを連絡する空気吹き出し口を備え、空気吹き出し口に対向するようにプロジェクタ取り付け部材に設けられ、プロジェクタ取り付け部材内の空気を外部に送風する外部ファンを有してもよい。これにより、プロジェクタ取り付け部材の内部の温度上昇が抑制され、その結果、プロジェクタが高温状態になることを十分に抑制することができる。
【００２０】
画像投影システムが、プロジェクタの温度を検出する温度センサと、温度センサの温度検出結果に基づいて外部ファンを制御する制御装置と、を有し、制御装置が、温度センサが所定の温度を超える温度を検出している間、外部ファンを駆動し続けてもよい。これにより、プロジェクタが高温状態になることを効率的に抑制することができる。
【００２１】
また、本発明の別の態様である浴室は、画像投影システムを備える浴室であって、その画像投影システムが、室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材と、プロジェクタの排気口とケース部材の内部空間とを連絡して、プロジェクタからの排気をケース部材の内部空間に供給するダクト部材とを有する。
【００２２】
このような構成によれば、高温多湿の浴室内に画像をその浴室外から投影する場合において、良好な画像を投影することができる。
【００２３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面及び以下の説明を提供するものであって、これらによって特許請求の範囲に記載の主題を限定することを意図するものではない。
【００２５】
図１は、本発明の一実施の形態に係る浴室を概略的に示している。
【００２６】
図１に示すように、浴室１００は、天井材１０２と、複数の壁材１０４と、床材１０６とを有する。浴室１００の内部空間は、これらの天井材１０２、複数の壁材１０４、および床材１０６によって画定されている。
【００２７】
また、浴室１００は、１つの壁材１０４の表側部分に、画像Ｐを投影するように構成されている。なお、本明細書において、天井材１０２や壁材１０４の表側は浴室１００の内部空間側を言い、裏側は内部空間の外部側を言う。
【００２８】
本実施の形態の場合、図１に示すように、壁材１０４に向かって画像Ｐを投影する画像投影システム１０が、天井材１０２の裏側に配置されている。天井材１０２の裏側に配置された画像投影システム１０から浴室１００内に画像Ｐを投影するために、天井材１０２には開口１０２ａが設けられている。また、天井材１０２の裏側に画像投影システム１０を配置するために利用可能な点検口１０２ｂが、天井材１０２に設けられている。
【００２９】
図２および図３は、異なる方向から見た斜視図であって、浴室１００の天井材１０２の裏側に配置された画像投影システム１０を概略的に示している。また、図４は、図２に示すＡ−Ａ線に沿った画像投影システム１０の断面を示している。さらに、図５は、画像投影システム１０の内部構成を示す上方視断面図である。なお、図には、発明の理解を容易にするために、Ｘ−Ｙ−Ｚ座標系が示されている。Ｘ軸方向は幅方向を示し、Ｙ軸方向は奥行き方向を示し、Ｚ軸方向は鉛直方向を示している。
【００３０】
図４に示すように、画像投影システム１０は、投影光Ｌを浴室１００の壁材１０４に向かって出射する（画像Ｐを投影する）プロジェクタ１２と、プロジェクタ１２を天井材１０２に取り付けるためのプロジェクタ取り付け部材１４と、天井材１０２の開口１０２ａを塞ぐカバー部材１６と、カバー部材１６を覆うケース部材１８とを有する。
【００３１】
本実施の形態の場合、図４に示すように、プロジェクタ取り付け部材１４は、その内部空間１４ａにプロジェクタ１２を収容することができる、例えば金属薄板から作製された蓋付きボックス状の部材である。また、プロジェクタ取り付け部材１４は、天井材１０２の裏側部分１０２ｃに、例えば、ねじや接着剤などによって固定される。このプロジェクタ取り付け部材１４は、プロジェクタ１２を吊り下げ支持する蓋状の天板部２０と、プロジェクタ１２が通過する上部開口を備えて天板部２０を支持するベース部２２と、天板部２０とプロジェクタ１２とを接続する接続部２４、２６、および２８（図２および図３参照）を備える。
【００３２】
また、プロジェクタ取り付け部材１４のベース部２２は、投影光Ｌを出射するプロジェクタ１２の出射部１２ａが通過する貫通穴２２ａを備えている。
【００３３】
さらに、本実施の形態の場合、プロジェクタ１２は、出射部１２ａが斜め下方向に向いた状態でプロジェクタ取り付け部材１４の天板部２０に、接続部２４〜２８を介して吊り下げ支持されている。具体的に言えば、天板部２０が水平姿勢から傾いた姿勢で、ベース部２２に支持されている。これにより、プロジェクタ１２は、天井材１０２の裏側から開口１０２ａを介して浴室１００内に向かって投影光Ｌを出射することができる。
【００３４】
このようなプロジェクタ取り付け部材１４によれば、プロジェクタ１２は、天井材１０２の裏側部分１０２ｃに取り付けられ、また、ほこりなどから保護される。また、プロジェクタ取り付け部材１４によって下側に傾いた姿勢で支持されることにより、プロジェクタ１２は、出射部１２ａから天井材１０２の開口１０２ａを介して浴室１００内に向かって投影光Ｌを出射することができる。
【００３５】
この天井材１０２の開口１０２ａは、天井材１０２の裏側に配置されたプロジェクタ１２から浴室１００内に画像Ｐを投影するためには必要である。しかし、開口１０２ａを通過して天井材１０２の裏側に移動した浴室１００内の湿気によってプロジェクタ１２に水滴が付着する可能性がある。特に、プロジェクタ１２の出射部１２ａに水滴が付着すると、浴室１００の壁材１０４の表側部分に良好な画像Ｐを投影することができない可能性がある。
【００３６】
プロジェクタ１２への水滴の付着を抑制するために、天井材１０２の開口１０２ａを塞ぐカバー部材１６が設けられている。
【００３７】
本実施の形態の場合、図４に示すように、カバー部材１６は、天井材１０２の開口１０２ａを塞ぐように、天井材１０２の裏側部分１０２ｃに対してシール部材４２を介在した状態で取り付けられている。例えば、ねじや接着剤などによって天井材１０２にカバー部材１６は固定されている。
【００３８】
また、カバー部材１６は、プロジェクタ１２の出射部１２ａから出射された投影光Ｌが透過するように、ガラス材料または樹脂材料から作製されている。
【００３９】
このようなカバー部材１６によれば、浴室１００から天井材１０２の裏側への蒸気の移動が抑制される。それにより、プロジェクタ１２への水滴の付着が抑制され、プロジェクタ１２は、カバー部材１６を介して、図１に示すように、浴室１００の壁材１０４の表側部分に良好な画像Ｐを投影することができる。
【００４０】
浴室１００の内部空間の温度が天井材１０２の裏側空間の温度に比べて高く、その温度差が大きい場合、浴室１００側のカバー部材１６の浴室内側表面１６ａに結露が生じる、すなわち表面に水滴が付着する場合がある。カバー部材１６の表面１６ａに水滴が付着すると、その水滴によってプロジェクタ１２からの投影光Ｌが散乱し、浴室１００の壁材１０４の表側部分に良好な画像Ｐを投影できない可能性がある。
【００４１】
また、カバー部材１６の天井裏側の浴室外側表面１６ｂには、時間の経過とともに、天井材１０２の裏側空間内のほこりや虫など付着しやすい。その付着したほこりなどにより、浴室１００の壁材１０４の表側部分に良好な画像Ｐを投影できない可能性がある。
【００４２】
そこで、カバー部材１６の浴室内側表面１６ａでの結露の発生を抑制するとともに、カバー部材１６の浴室外側表面１６ｂへのほこりなどの付着を抑制するために、カバー部材１６を覆うケース部材１８が、天井材１０２の裏側に配置されている。
【００４３】
具体的には、ケース部材１８は、図２〜図４に示すように、カバー部材１６を覆うように、またプロジェクタ１２の出射部１２ａを覆うように構成されて配置されている。また、ケース部材１８は、図４に示すように、プロジェクタ１２の出射部１２ａから天井材１０２の開口１０２ａに向かう投影光Ｌが通過し、天井材１０２の裏側空間から実質的に隔離された内部空間１８ａを形成する。すなわち、カバー部材１６の浴室外側表面１６ｂとプロジェクタ１２の出射部１２ａが、ケース部材１８の内部空間１８ａを臨んでいる。
【００４４】
このようなケース部材１８によれば、まず、カバー部材１６の浴室外側表面１６ｂへのほこりなどの付着が、ケース部材１８がない場合に比べて抑制される。
【００４５】
また、ケース部材１８の内部空間１８ａは、天井材１０２の裏側空間から空間的に隔離されているだけでなく、熱的にも隔離される。この熱的に隔離されているケース部材１８の内部空間１８ａを温めることによってカバー部材１６の浴室内側表面１６ａでの結露の発生を抑制するように、画像投影システム１０は構成されている。
【００４６】
具体的には、画像投影システム１０は、図２および図３に示すように、プロジェクタ取り付け部材１４内に収容されているプロジェクタ１２からの排気をケース部材１８の内部空間１８ａ内に供給するためのダクト部材３０を有する。
【００４７】
図５は、画像投影システム１０内の空気の流れを示す、画像投影システム１０の内部構成を示す上方視断面図である。図において、空気の流れは、白抜矢印で示されている。
【００４８】
プロジェクタ１２からの排気をケース部材１８の内部空間１８ａに供給するダクト部材３０を説明する前に、そのプロジェクタ１２について簡単に説明する。
【００４９】
図５に示すように、プロジェクタ１２は、その筐体１２ｂ内に画像を投影するための光学系１２ｃを収容している。光学系１２ｃは、例えば、光源１２ｄ、複数のミラー１２ｅ、複数のダイクロイックミラー１２ｆ、ダイクロイックプリズム１２ｇ、複数の透過型液晶パネル１２ｈを含んでいる。また、筐体１２ｂ内には、光源１２ｄや透過型液晶パネル１２ｈを制御する制御装置１２ｊが搭載されている。制御装置１２ｊは、例えば、基板に搭載されたＣＰＵ、メモリ、回路などによって構成されている。
【００５０】
使用中において、プロジェクタ１２の筐体１２ｂの内部温度は、時間の経過とともに、光源１２ｄ、制御装置１２ｊなどから発生した熱によって上昇する。その温度上昇を抑制するために、本実施の形態の場合、筐体１２ｂには、外部の空気を内部に取り込むための吸気口１２ｋと、内部の空気を外部に排出するための第１および第２の排気口１２ｍ、１２ｎとを備える（プロジェクタ１２の概略的斜視図である図６および図７参照）。また、筐体１２ｂ内の温度を検出する温度センサ１２ｐが、筐体１２ｂ内に設けられている。温度センサ１２ｐの検出温度は、信号として制御装置１２ｊに送信される。
【００５１】
図５〜図７に示すように、吸気口１２ｋと第1および第２の排気口１２ｍ、１２ｎとは、プロジェクタ１２の筐体１２ｂの幅方向（Ｘ軸方向）に対向するように該筐体１２ｂに形成されている。
【００５２】
また、本実施の形態の場合、図５に示すように、プロジェクタ１２の筐体１２ｂ内には、第１の排気口１２ｍに対向するように配置され、筐体１２ｂ内の空気を第１の排気口１２ｍを介して外部に送風する内部ファン１２ｑが設けられている。この内部ファン１２ｑは、制御装置１２ｊによって制御され、温度センサ１２ｐの検出温度に基づいた回転数で回転する。これに代わって、内部ファン１２ｑは、プロジェクタ１２の稼動中、一定の回転速度で回転し続けてもよい。
【００５３】
このようなプロジェクタ１２が、図５に示すように、画像投影システム１０のプロジェクタ取り付け部材１４内に収容されている。その収容されたプロジェクタ１２が、プロジェクタ取り付け部材１４の外部の空気を吸気できるように、プロジェクタ取り付け部材１４は複数の空気取り込み口２２ｂを備える。
【００５４】
具体的には、図３に示すように、複数の空気取り込み口２２ｂは、プロジェクタ取り付け部材１４のベース部２２に形成されている。また、図５に示すように、空気取り込み口２２ｂは、プロジェクタ取り付け部材１４の内部空間１４ａと外部とを連絡し、プロジェクタ１２の吸気口１２ｋと対向している。
【００５５】
なお、図５に示すように、対向し合うプロジェクタ取り付け部材１４の空気取り込み口２２ｂとプロジェクタ１２の吸気口１２ｋは、可能な限り接近するのが好ましい。これにより、プロジェクタ１２の発熱によって温められたプロジェクタ取り付け部材１４内の空気が、プロジェクタ１２の吸気口を介して該プロジェクタ１２内に流入することが抑制される。すなわち、相対的に低温の外部の空気Ｆ１が、相対的に高温のプロジェクタ取り付け部材１４内の空気に比べて多くプロジェクタ１２内に流入する。
【００５６】
図５に示すように、吸気口１２ｋを介してプロジェクタ１２内に流入した空気は、光学系１２ｃや制御装置１２ｊを冷却する。本実施の形態の場合、冷却後の高温の空気の多く（空気Ｆ２）は、内部ファン１２ｑによって第１の排気口１２ｍを介して、プロジェクタ１２の筐体１２ｂの外部に排出される。残り（空気Ｆ３）は、第２の排気口１２ｎを介して、プロジェクタ取り付け部材１４の内部空間１４ａに排出される。
【００５７】
図５に示すように、第１の排気口１２ｍを介して排出された高温の空気Ｆ２はダクト部材３０の内部空間３０ａ内に流入する。ダクト部材３０は、その内部空間３０ａを介して、プロジェクタ１２の第１の排気口１２ｍとケース部材１８の内部空間１８ａを連絡している。そのために、ダクト部材３０の一部が、プロジェクタ取り付け部材１４の内部空間１４ａ内に進入している。それにより、ダクト部材３０の内部空間３０ａに流入した高温の空気Ｆ２は、ケース部材１８の内部空間１８ａに供給される。
【００５８】
ケース部材１８の内部空間１８ａ内に流入した高温の空気Ｆ２により、ケース部材１８の内部空間１８ａ内の空気が温められる。それにより、浴室１００とケース部材１８の内部空間１８ａとの間の温度差が、プロジェクタ１２からの排気がケース部材１８内に供給されない場合に比べて小さくなる。すなわち、カバー部材１６の浴室内側表面１６ａと浴室外側表面１６ｂとの温度差が小さくなる。その結果、カバー部材１６の浴室内側表面１６ａでの結露の発生が抑制される。
【００５９】
ケース部材１８の内部空間１８ａを温めた後の空気Ｆ２’は、ケース部材１８に形成された出口１８ｂを介して外部に排出される。
【００６０】
このような構成により、カバー部材１６の浴室内側表面１６ａでの結露の発生を抑制するとともに、カバー部材１６の浴室外側表面１６ｂへのほこりなどの付着を抑制することができる。
【００６１】
この結露の発生とほこりなどの付着をさらに抑制するために、以下のような構成を、画像投影システム１０は備えている。
【００６２】
まず、図５に示すように、プロジェクタ取り付け部材１４（すなわちプロジェクタ１２）、ダクト部材３０、ケース部材１８と順に通過する空気の流れ（白抜き矢印に示す流れ）に同伴してほこりなどがケース部材１８の内部空間１８ａ内に侵入する可能性がある。その侵入を抑制するために、ほこりなどを捕獲するフィルタ３２が、ダクト部材３０の入口３０ｂに設けられている。このフィルタ３２は、ダクト部材３０の入口３０ｂ全体を覆うように設けられている。これにより、プロジェクタ１２の第１の排気口１２ｍから流出する空気Ｆ２は、フィルタ３２を通過してダクト部材３０の内部空間３０ａに流入する。その結果、空気Ｆ２に同伴するほこりなどがフィルタ３２によって捕獲され、ケース部材１８の内部空間１８ａ内へのほこりなどの侵入が抑制される。
【００６３】
なお、フィルタ３２を、ダクト部材３０の入口３０ｂに代わって、ダクト部材３０の出口３０ｃに設けてもよい。あるいは、ダクト部材３０の出口３０ｃと接続するケース部材１８の入口１８ｃにフィルタ３２を設けてもよい。
【００６４】
同様に、図５に示すように、ケース部材１８の出口１８ｂにも、その全体を覆うフィルタ３４が設けられている。これにより、画像投影システム１０の停止中に、出口１８ｂを介してケース部材１８の内部空間１８ａ内へのほこりなど（特に虫）の侵入が抑制される。
【００６５】
このようなフィルタ３２、３４により、ケース部材１８の内部空間１８ａ内へのほこりなどの侵入がさらに抑制される。
【００６６】
カバー部材１６の結露をさらに抑制するために、図５に示すように、ダクト部材３０の入口３０ｂの縁部とプロジェクタ１２の第１の排気口１２ｍの縁部との間に、シール部材３６が配置されている。シール部材３６は、例えばシリコンゴムなどの環状の部材である。このシール部材３６は、プロジェクタ１２の第１の排気口１２ｍからダクト部材３０の入口３０ｂに向かう該プロジェクタ１２の高温の排気（空気Ｆ２）がプロジェクタ取り付け部材１４の内部空間１４ａに漏れ出ることを抑制している。それにより、プロジェクタ１２からの高温の空気Ｆ２が、ダクト部材３０を介して、ケース部材１８の内部空間１８ａに無駄なく供給される。その結果、カバー部材１６の結露をさらに抑制することができる（シール部材３６がない場合に比べて）。
【００６７】
なお、シール部材３６により、プロジェクタ１２の第１の排気口１２ｍから流出した高温の空気Ｆ２が、プロジェクタ取り付け部材１４の内部空間１４ａを介して、プロジェクタ１２の吸気口１２ｋに戻ることが抑制される。プロジェクタ１２の第１の排気口１２ｍから流出した高温の空気Ｆ２が吸気口１２ｋを介して筐体１２ｂ内に再び取り込まれると、その筐体１２ｂ内の光学系１２ｃや制御装置１２ｊを十分に冷却できない。すなわち、シール部材３６は、プロジェクタ１２の冷却性を維持する役割も果たしている。
【００６８】
図５に示すように、シール部材３６と同様のシール部材３８が、ダクト部材３０の出口３０ｃの縁部とケース部材１８の入口１８ｃの縁部との間に設けられている。このシール部材３８は、ダクト部材３０の出口３０ｃからケース部材１８の入口１８ｃに向かう高温の空気Ｆ２が外部（天井材１０２の裏側空間）に漏れ出ることを抑制している。それにより、ダクト部材３０を介するプロジェクタ１２からの高温の空気Ｆ２が、ケース部材１８の内部空間１８ａに無駄なく供給される。その結果、カバー部材１６の結露をさらに抑制することができる（シール部材３８がない場合に比べて）。
【００６９】
シール部材に関して言えば、ケース部材１８内の空気が、プロジェクタ取り付け部材１４の貫通穴２２ａ（プロジェクタ１２の出射部１２ａが通過する穴）を介して該プロジェクタ取り付け部材１４の内部空間１４ａ内に侵入しないように、シール部材４０が設けられている。シール部材４０は、プロジェクタ取り付け部材１４のベース部２２の貫通穴２２ａの縁部とプロジェクタ１２の筐体１２ｂとの間に設けられている。このシール部材４０により、プロジェクタ取り付け部材１４の内部空間１４ａ、ダクト部材３０の内部空間３０ａ、およびケース部材１８の内部空間１８ａを空気が繰り返しループすることが抑制される。このような空気のループが発生すると、プロジェクタ取り付け部材１４の内部空間１４ａの温度が時間の経過とともに上昇し、そこに収容されているプロジェクタ１２を十分に冷却できない恐れがある。
【００７０】
また、図２〜図４に示すように、ケース部材１８と天井材１０２の裏側部分１０２ｃとの間にも環状のシール部材４２が設けられている。このシール部材４２は、ケース部材１８と天井材１０２との間の隙間からケース部材１８内の空気Ｆ２が外部（天井材１０２の裏側空間）に漏れ出ることを抑制している。その結果、カバー部材１６の結露をさらに抑制することができる（シール部材４２がない場合に比べて）。
【００７１】
さらに、図４および図５に示すように、ケース部材１８は、内面（内部空間１８ａを臨む表面）に、例えばポリスチレンフォームなどの断熱材４４が貼り付けられている。これにより、ケース部材１８の内部空間１８ａの温度低下を抑制することができる。その結果、カバー部材１６の結露をさらに抑制することができる（断熱材４４がない場合に比べて）。なお、ダクト部材３０の内部空間３０ａを移動中の空気Ｆ２の温度が低下しないように、ダクト部材３０の内面にも同様の断熱材を設けてもよい。
【００７２】
さらにまた、図５に示すように、プロジェクタ１２は、プロジェクタ取り付け部材１４の内部空間１４ａに収容されている。そのため、プロジェクタ１２からの発熱によってプロジェクタ取り付け部材１４の内部空間１４ａ内の温度は、プロジェクタ１２の稼働時間にともなって上昇する。そのプロジェクタ取り付け部材１４の内部空間１４ａの温度上昇によってプロジェクタ１２を内部ファン１２ｑによって十分に冷却できない可能性がある。
【００７３】
その対処として、図２および図５に示すように、プロジェクタ取り付け部材１４の内部空間１４ａの高温の空気を排気するために、外部ファン４６がプロジェクタ取り付け部材１４に設けられている。図５に示すように、プロジェクタ取り付け部材１４のベース部２２に、内部空間１４ａと外部とを連絡する空気吹き出し口２２ｃが形成されている。この空気吹き出し口２２ｃに対向するように、外部ファン４６がプロジェクタ取り付け部材１４に設けられている。プロジェクタ１２の稼動中に外部ファン４６が回転してプロジェクタ取り付け部材１４の内部空間１４ａ内の空気を外部に送風することにより、プロジェクタ取り付け部材１４の温度が低温で維持される。
【００７４】
本実施の形態の場合、外部ファン４６のＯＮ−ＯＦＦ制御は、プロジェクタ１２の温度に基づいて実行される。例えば、プロジェクタ１２に搭載された温度センサ１２ｐの温度検出結果に基づいて、制御装置１２ｊが外部ファン４６を外部制御する。制御装置１２ｊは、温度センサ１２ｐが所定の温度を超える温度を検出している間、外部ファン４６を駆動し続ける。なお、温度センサ１２ｐの検出温度の変化にともない、外部ファン４６の回転数を変更してもよい。これにより、プロジェクタ取り付け部材１４内の温度上昇を効率的に抑制することができ、プロジェクタ１２は、内部ファン１２ｑによって十分に冷却される。
【００７５】
図５に示すように、本実施の形態の場合、空気取り込み口２２ｂからプロジェクタ取り付け部材１４の内部空間１４ａ）に取り込まれた空気（空気Ｆ１）は、Ｕターンしてケース部材１８の出口１８ｂから外部に排出される（空気Ｆ２’）。すなわち、空気取り込み口２２ｂと出口１８ｂの両方が、画像投影システム１０の幅方向（Ｘ軸方向）の一方側に設けられている。そのため、プロジェクタ１２によって温められて出口１８ｂから外部に出た高温の空気Ｆ２’が、再び、空気取り込み口２２ｂを介してプロジェクタ取り付け部材１４内に取り込まれる可能性がある。
【００７６】
その対処として、本実施の形態の場合、空気取り込み口２２ｂと出口１８ｂが、画像投影システム１０の幅方向（Ｘ軸方向）にずれて設けられている。特に、空気取り込み口２２ｂに流入する空気Ｆ１の上流側に、また、その空気取り込み口２２ｂから離れるように、出口１８ｂが設けられている。これにより、空気取り込み口２２ｂと出口１８ｂとが幅方向にずれずに奥行き方向（Ｙ軸方向）並ぶ場合に比べて、または、出口１８ｂから流出する空気Ｆ２’の下流側に空気取り込み口２２ｂが存在する場合に比べて、出口１８ｂから流出した空気Ｆ２’が再び空気取り込み口２２ｂを介してプロジェクタ取り付け部材１４内に取り込まれることが抑制される。
【００７７】
なお、ここからは、図４に示すようにプロジェクタ１２を収容して吊り下げ支持するプロジェクタ取り付け部材１４のさらなる詳細、特にプロジェクタ１２を吊り下げ支持する構成について説明する。
【００７８】
図２〜図４に示すように、プロジェクタ取り付け部材１４は、プロジェクタ１２を、４の天板部２０に接続部２４〜２８を介して吊り下げ支持する。
【００７９】
図８は、プロジェクタ取り付け部材１４の接続部２４、２６を示す部分断面図を示している。接続部２４、２６は、実質的に同一の構成である。したがって、接続部２４について説明し、接続部２６についての説明は省略する。
【００８０】
図８に示すように、プロジェクタ取り付け部材１４の接続部２４は、天板部２０に対するプロジェクタ１２の姿勢を手動調整可能に、天板部２０とプロジェクタ１２とを接続するように構成されている。
【００８１】
そのために、接続部２４は、図８に示すように、天板部２０に形成された貫通穴２０ａを通過するトラスねじ５０を有する。そのトラスねじ５０の軸部（おねじ部）５０ａには、複数の蝶ナット５２、５４、複数のナット５６〜６０が係合し、また複数のスプリングワッシャ６２〜６８とボビン部材７０が外挿されている。
【００８２】
図８に示すように、トラスねじ５０は、その頭部５０ｂがプロジェクタ取り付け部材１４内に存在する状態で、すなわち、頭部５０ｂが下側に位置する姿勢で、天板部２０の貫通穴２０ａを通過している。
【００８３】
そのトラスねじ５０の頭部５０ｂに、ボビン部材７０が支持されている。また、ボビン部材７０は、ナット６０とスプリングワッシャ６８によって頭部５０ｂに接触した状態でトラスねじ５０に固定されている。
【００８４】
ボビン部材７０は、プロジェクタ１２の筐体１２ｂの天面部１２ｒに取り付けられたブラケット７２に係合する。具体的には、ボビン部材７０の縮径部７０ａが、図６や図７に示すように、ブラケット７２に形成されたスリット溝７２ａ内に配置されることにより、ボビン部材７０とブラケット７２とが係合する。同様に、接続部２６のボビン部材７０も、ブラケット７４に係合する。
【００８５】
図８に示すように、プロジェクタ取り付け部材１４の天板部２０上方に姿勢調整用蝶ナット５２が配置され、その姿勢調整用蝶ナット５２は、トラスねじ５０に対して回転しないように、スプリングワッシャ６２、６４を介してキャップナット５６とナット５８とに挟まれている。回り止め用蝶ナット５４はスプリングワッシャ６６を介して天板部２０に接触する。これにより、接続部２４、すなわちトラスねじ５０、ボビン部材７０、ブラケット７２、および回り止め用蝶ナット５４により、プロジェクタ１２がプロジェクタ取り付け部材１４の天板部２０に吊り下げ支持される。
【００８６】
また、姿勢調整用蝶ナット５２を手作業で回すことにより、プロジェクタ取り付け部材１４の天板部２０とプロジェクタ１２との間の距離を変更することができる。すなわち、天板部２０とプロジェクタ１２との間に配置されるトラスねじ５０の部分の長さを調節することができる。
【００８７】
なお、図８に示すように、一方の手で姿勢調整用蝶ナット５２を回したときに回り止め用蝶ナット５４が一緒に回らないように、回り止め用蝶ナット５４は他方の手で把持される。
【００８８】
図２および図３に示す接続部２４、２６は、図８に示すような実質的に同一の構成要素を有するが、残りの接続部２８は異なる構成要素を有する。
【００８９】
図９は、残りの接続部２８を示す部分断面図である。
【００９０】
図９に示すように、接続部２８は、図８に示す接続部２４、２６と異なり、蝶ナットを有していない。すなわち、この接続部２８は、接続部２４、２６とは異なり、プロジェクタ１２の姿勢を変更するときに使用されない。接続部２８は、単にプロジェクタ取り付け部材１４の天板部２０とプロジェクタ１２とを接続するためのものである。
【００９１】
具体的には、図９に示すように、接続部２８は、天板部２０に形成された貫通穴２０ａを通過するトラスねじ８０を有する。そのトラスねじ８０の軸部（おねじ部）８０ａには、ナット８２が係合し、またスプリングワッシャ８４、ワッシャ８６、カラー８８が外挿されている。
【００９２】
図９に示すように、トラスねじ８０は、その頭部８０ｂがプロジェクタ取り付け部材１４内に存在する状態で、すなわち、頭部８０ｂが下側に位置する姿勢で、天板部２０の貫通穴２０ａを通過している。
【００９３】
そのトラスねじ８０の頭部８０ｂに、ワッシャ８６とカラー８８とが支持されている。
【００９４】
ワッシャ８６とカラー８８は、プロジェクタ１２の筐体１２ｂの天面部１２ｒに取り付けられたブラケット９０に係合する。具体的には、カラー８８が、図６や図７に示すように、ブラケット９０に形成されたスリット溝９０ａ内に配置された状態でワッシャ８６がブラケット９０を受けることにより、接続部２８がブラケット７２に係合する。
【００９５】
図９に示すように、プロジェクタ取り付け部材１４の天板部２０上にナット８２が配置され、そのナット８２はスプリングワッシャ８４を介して天板部２０に接触する。これにより、接続部２８、すなわちトラスねじ９０、ワッシャ８６、ブラケット９０、およびナット８２により、プロジェクタ１２がプロジェクタ取り付け部材１４の天板部２０に吊り下げ支持される。
【００９６】
接続部２８において、プロジェクタ取り付け部材１４の天板部２０とプロジェクタ１２との間の距離（その間のトラスねじ９０の部分の長さ）は、例えば、工場出荷時に設定される。
【００９７】
このような接続部２４〜２８によれば、図２および図３に示すように、２つの接続部２４、２６それぞれの姿勢調整用蝶ボルト５４を手作業で回すことにより、天板部２０に対するプロジェクタ１２の姿勢を簡単に調整することができる。それにより、プロジェクタ１２の出射部１２ａからカバー部材１６を介して浴室１００内に投影される画像Ｐの傾きや形状を調整することができる。
【００９８】
以上、このような本実施の形態によれば、高温多湿な浴室１００に画像Ｐを投影する場合において、良好な画像Ｐを投影することができる。すなわち、天井材１０２の裏側に配置されたプロジェクタ１２の水滴が付着していない出射部１２ａから、結露の発生が抑制されるとともにほこりなどの付着が抑制されたカバー部材１６を介して、浴室１００の壁材１０４の表側部分に、良好な画像Ｐが投影される。
【００９９】
以上、上述の実施の形態を挙げて本発明を説明したが、本発明は上述の実施の形態に限定されない。
【０１００】
例えば、上述の実施の形態の場合、図５に示すように、ダクト部材３０の内部空間３０ａからケース部材１８の内部空間１８ａ内に向かう空気Ｆ２の流れは、プロジェクタ１２の内部ファン１２ｑによって発生する。この内部ファン１２ｑに代わってまたは加えて、さらなるファンを、例えば、ダクト部材３０とケース部材１８との間、または、ケース部材１８の出口１８ｂに設けてもよい。
【０１０１】
ファンに関して言えば、図５に示す外部からプロジェクタ取り付け部材１４の内部空間１４ａに向かう空気Ｆ１の流量を増加させるために、外部ファン４６に加えてまたは代わって、さらなるファンをプロジェクタ取り付け部材１４の空気取り込み口２２ｂに設けてもよい。
【０１０２】
また、外部ファン４６を省略することも可能である。例えば、プロジェクタ取り付け部材１４の内部空間１４ａの容積がプロジェクタ１２に体積に比べて十分大きい、またはプロジェクタ取り付け部材１４が放熱性が高い材料（例えばアルミニウム材料）から作製されているなどの場合、外部ファン４６を省略可能である。
【０１０３】
この外部ファン４６は、上述の実施の形態の場合、プロジェクタ１２の温度を検出する温度センサ１２ｐの温度検出結果に基づいてＯＮ−ＯＦＦ制御される。これに代わって、プロジェクタ１２が動作している間、外部ファン４６は常に駆動していてもよい。
【０１０４】
なお、上述の実施の形態の場合、図４および図５に示すように、プロジェクタ１２は、プロジェクタ取り付け部材１４内に収容された状態で、プロジェクタ取り付け部材１４を介して浴室１００の天井材１０２の裏側部分１０２ｃに設置されている。しかしながら、本実施の形態はこれに限らない。
【０１０５】
また、上述の実施の形態の場合、画像投影システムは、浴室の天井材の裏側に配置されているが、本発明の実施の形態はこれに限らない。天井材の裏側に代わって、画像投影システムは、壁材の裏側に配置されてもよい。この場合、壁材は、画像投影システムのプロジェクタの投影光が通過する開口を備える。
【０１０６】
そして、上述の実施の形態の場合、画像投影システムは浴室内に画像を投影するが、言い換えると上述の実施の形態は画像を投影することができる浴室であるが、本発明の実施の形態はこれに限らない。
【０１０７】
すなわち、本発明に係る実施の形態は、広義には、室内空間を画定する天井材または壁材の裏側に配置され、且つ、天井材または壁材に設けられた開口を介して室内に投影光を出射する出射部、外部の空気を内部に取り込むための吸気口、および内部の空気を外部に排出するための排気口を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材と、プロジェクタの排気口とケース部材の内部空間とを連絡して、プロジェクタからの排気をケース部材の内部空間に供給するダクト部材と、を有する。
【０１０８】
以上のように、本発明における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０９】
また、前述の実施形態は、本発明における技術を例示するためのものであるから、特許請求の範囲又はその均等の範囲において種々の変更、置き換え、付加、省略などを行うことができる。
【産業上の利用可能性】
【０１１０】
本発明は、高温多湿な室内に画像を投影する場合に適用可能である。
【符号の説明】
【０１１１】
１０      画像投影システム
１２      プロジェクタ
１２ａ    出射部
１２ｋ    吸気口
１２ｍ    排気口
１６      カバー部材
１８      ケース部材
１８ａ    内部空間
３０      ダクト部材
１０２    天井材
１０２ａ  開口
【図１】
2018066945.tif 000003
【図２】
2018066945.tif 000004
【図３】
2018066945.tif 000005
【図４】
2018066945.tif 000006
【図５】
2018066945.tif 000007
【図６】
2018066945.tif 000008
【図７】
2018066945.tif 000009
【図８】
2018066945.tif 000010
【図９】
2018066945.tif 000011